(57)【要約】【課題】  平板状の部材から構成される小型・薄型なＳＡＷ素子を提供する。【解決手段】  上記課題を解決するためのＳＡＷ素子は、平面基板１２の一主面に櫛歯状電極１８を形成して共振素子片を構成する圧電基板１２と、前記圧電基板１２を挟み込み、少なくとも前記圧電基板１２の主面に対向する側の面を平面とした一対の蓋体２０，３０とを有し、前記圧電基板１２と当該圧電基板１２を挟み込む一対の蓋体２０，３０とを接合しつつ前記圧電基板１２が励振する際の振動空間を確保するための金属パターン１４，２２，３２を、前記圧電基板１２と前記蓋体２０，３２とが対向する面の四辺縁部に形成したことを特徴とする。【選択図】    図１
2006180247.tif 000002
【特許請求の範囲】
【請求項１】
平面基板の一主面に櫛歯状電極を形成して共振素子片を構成する圧電基板と、
前記圧電基板を挟み込み、少なくとも前記圧電基板の主面に対向する側の面を平面とした一対の蓋体とを有し、
前記圧電基板と当該圧電基板を挟み込む一対の蓋体とを接合しつつ前記圧電基板が励振する際の振動空間を確保するための金属パターンを、前記圧電基板と前記蓋体とが対向する面の四辺縁部に形成したことを特徴とする弾性表面波素子。
【請求項２】
前記一対の蓋体は、熱膨張率が前記圧電基板に近似する素材で構成することを特徴とする請求項１に記載の弾性表面波素子。
【請求項３】
前記一対の蓋体は、前記圧電基板と同一素材で構成することを特徴とする請求項１に記載の弾性表面波素子。
【請求項４】
前記圧電基板には櫛歯状電極を有する共振素子片を支持片として構成し他の部分を枠部として構成する貫通溝を形成することを特徴とする請求項１乃至請求項３のいずれかに記載の弾性表面波素子。
【請求項５】
前記圧電基板に形成する貫通溝は、前記共振素子片を構成する電極部分を囲う矩形状のうち、少なくとも三辺を繋いだ形状としたことを特徴とする請求項４に記載の弾性表面波素子。
【請求項６】
前記圧電基板に形成する貫通溝は、前記支持片と前記枠部との接合部分に、くびれを形成することを特徴とする請求項４又は請求項５に記載の弾性表面波素子。
【請求項７】
請求項１乃至請求項６のいずれかに記載の弾性表面波素子を搭載したことを特徴とする電子機器。
【請求項８】
平面基板の一主面に櫛歯状電極を形成して共振素子片を構成する圧電基板と、
前記圧電基板を挟み込み、少なくとも前記圧電基板の主面に対向する側の面を平面とした一対の蓋体とを有する弾性表面波素子における励振空間の形成方法であって、
前記圧電基板と当該圧電基板を挟み込む一対の蓋体とを接合するための金属パターンによって、前記圧電基板が励振する際の励振空間を形成することを特徴とする弾性表面波素子の励振空間形成方法。
【発明の詳細な説明】
【技術分野】
【０００１】
本発明は、小型・薄型化に適した弾性表面波素子、並びに前記弾性表面波素子を搭載した電子機器、及び弾性表面波素子の励振空間の形成方法に関する。
【背景技術】
【０００２】
技術の進歩に伴い、電子機器には、小型・薄型化、高集積化といった課題が課せられてきた。このような背景のもと、電子機器の心臓部として機能する圧電振動子や弾性表面波素子（Surface Acoustic Wave  素子：ＳＡＷ素子）に対しても、小型・薄型化の要求が強まっている。
【０００３】
そして圧電振動子については、特許文献１や特許文献２に開示されているようなものが提案されている。特許文献１や特許文献２に開示されている圧電振動子は、パッケージの大きさと、振動片の大きさとを同一にした、いわゆるチップサイズパッケージ（ＣＳＰ）という手法を採用したものである。
【０００４】
基本的な構造は両者とも同じであり、圧電振動片の振動空間（キャビティ）を確保するための手段を異にしている。特許文献１に開示されている圧電振動子は、平板状の圧電基板に貫通溝を設けて振動片の形状を成形した圧電基板と、前記圧電基板の両主面を挟み込む一対の蓋体とから成るものである。そして、前記一対の蓋体には、それぞれ圧電基板と対向する面に凹部を形成し、振動片の振動空間を確保するようにしている。このような圧電基板と一対の蓋体とを金属層によって３層に接着することで圧電振動子を構成することとしている。
【０００５】
また、特許文献２に開示されている圧電振動子も、特許文献１の圧電振動子と同様に、圧電基板と一対の蓋体から成る３層構造のものである。しかし、特許文献２に開示されている圧電振動子では、一対の蓋体は双方ともに平板状のものを使用しており、凹部を設けていない。このため、圧電基板に厚さのあるものを採用し、貫通溝で形成した振動片部分のみを薄型化することで、枠部を形成するようにし、振動空間を確保することとしている。そして、このような圧電基板と一対の蓋体とを陽極接合することで圧電振動子を構成することとしている。
【０００６】
そして、特許文献１には、上記構成はＳＡＷ素子にも適用することができる旨が記載されている。
【特許文献１】特開２０００−６８７８０号公報
【特許文献２】特開２００１−１７７３７３号公報
【発明の開示】
【発明が解決しようとする課題】
【０００７】
上記のような構成の圧電振動子及びＳＡＷ素子は、パッケージサイズとその素子片のサイズとを同一としたことより、小型化・薄型化のために不要な構成要素は極力削除したものであると言える。しかし、いずれの文献に開示されている圧電振動子も、振動片の振動空間を確保するために、圧電基板若しくは蓋体に厚みを持たせている。このため、圧電振動子ほどの振動空間を要さないＳＡＷ素子においては、実質的に小型化・薄型化の限界構成であると考えられる上記構成においても、厚さにおいて無駄が生じていることとなる。
【０００８】
そこで、本発明では、構成要素としての圧電基板、蓋体が共に、平板形状を基本とした弾性表面波素子、並びに前記弾性表面波素子を搭載した電子機器、及び弾性表面波素子の励振空間の形成方法を提供することを目的とする。
【課題を解決するための手段】
【０００９】
上記課題を解決するために、本願出願人が試験を行った結果、ＳＡＷ素子における振動空間は、僅かな隙間、すなわち０以上の間隙を確保することができれば良いことを実証した。
【００１０】
よって、本発明に係る弾性表面波素子は、平面基板の一主面に櫛歯状電極を形成して共振素子片を構成する圧電基板と、前記圧電基板を挟み込み、少なくとも前記圧電基板の主面に対向する側の面を平面とした一対の蓋体とを有し、前記圧電基板と当該圧電基板を挟み込む一対の蓋体とを接合しつつ前記圧電基板が励振する際の振動空間を確保するための金属パターンを、前記圧電基板と前記蓋体とが対向する面の四辺縁部に形成したことを特徴とする。
【００１１】
このような構成の弾性表面波素子によれば、圧電基板の励振空間を接着層としての金属パターンのみで形成することとなる。したがって、圧電基板、蓋体共に平板形状であっても励振空間を確保することが可能となる。よって、構成部材に厚さの無駄が生じ無いため、弾性表面波素子として薄型化を図ることが可能となる。
また、上記構成の弾性表面波素子において、前記一対の蓋体は、熱膨張率が前記圧電基板に近似する素材で構成すると良い。
【００１２】
蓋体と圧電基板との接着（接合）は、基本的に熱圧着によって成される。また、弾性表面波素子として製品化された後においても、リフロー等により加熱される場合がある。さらに、使用条件下において温度変化が激しい場合も考えられる。このような場合に、接合される部材の熱膨張率が近似していれば、圧電基板等に余分な応力が生じる虞が少なくなる。また、接合部材同士の膨張率の違いによる接合部の剥離や、クラックが生じる虞も少なくなる。
【００１３】
また、上記構成とする場合においては、前記一対の蓋体は、前記圧電基板と同一素材で構成することが望ましい。
圧電基板と蓋体とが同一素材で構成されていれば、熱膨張率は同一となることから、温度変化によって上述した現象が生じる虞が少なくなる。
【００１４】
また、上記構成の弾性表面波素子において、前記圧電基板には櫛歯状電極を有する共振素子片を支持片として構成し他の部分を枠部として構成する貫通溝を形成することが望ましい。
圧電基板に上記のような貫通溝を形成することによれば、弾性表面波素子に対する外部応力や衝撃が、前記支持片としての共振素子片に伝搬されることを緩和することができる。
【００１５】
また、圧電基板に対して貫通溝を形成する構成とした場合には、前記圧電基板に形成する貫通溝は、前記共振素子片を構成する電極部分を囲う矩形状のうち、少なくとも三辺を繋いだ形状とすると良い。
貫通溝を上記形状とすることにより、支持片（共振素子片）を片持ち状態で保持することとなり、外部からの衝撃緩和に対して有利な効果を奏する。
【００１６】
さらに、前記圧電基板に形成する貫通溝は、前記支持片と前記枠部との接合部分に、くびれを形成するようにしても良い。
このような構成を採ることにより、支持片と枠部との接合部分の面積が小さくなり、枠部側から支持片側に伝搬される衝撃等を緩和する場合に有利な効果を果たす。
【００１７】
また、本発明に係る電子機器は、上記いずれかに記載の弾性表面波素子を搭載したことを特徴とするものである。このような特徴を有する電子機器であれば、小型・薄型化を実現することが可能となる。
【００１８】
また、本発明に係る弾性表面波素子の励振空間形成方法は、平面基板の一主面に櫛歯状電極を形成して共振素子片を構成する圧電基板と、前記圧電基板を挟み込み、少なくとも前記圧電基板の主面に対向する側の面を平面とした一対の蓋体とを有する弾性表面波素子における励振空間の形成方法であって、前記圧電基板と当該圧電基板を挟み込む一対の蓋体とを接合するための金属パターンによって、前記圧電基板が励振する際の励振空間を形成することを特徴とした。
【００１９】
このような方法で励振空間を形成することにより、弾性表面波素子を構成する部材を平面部材とすることが可能となる。これに伴い、弾性表面波素子の構成部材に厚みの無駄が無くなるため、弾性表面波素子の薄型化を実現することが可能となる。
【発明を実施するための最良の形態】
【００２０】
以下、本発明の弾性表面波素子、電子機器、及び弾性表面波素子の励振空間形成方法に係る実施の形態について、図面を参照しつつ説明する。
図１は本発明の弾性表面波素子（ＳＡＷ素子）に係る第１の実施形態を示す断面図である。図１に示すように本実施形態のＳＡＷ素子１０は、圧電基板１２と、当該圧電基板１２を挟み込む一対の蓋体２０，３０とを基本的な構成としている。ここで、図２には前記圧電基板１２の平面図を、図３には前記圧電基板１２を挟み込む上下一対の蓋体２０，３０の平面図を、それぞれ示すこととする。
【００２１】
前記圧電基板１２には、金属パターンによって一対の櫛歯状電極（交叉指電極：Inter Digital Transducer：ＩＤＴ）１８と、一対の反射器（リフレクタ）１８ａとが形成されており、前記櫛歯状電極１８のそれぞれは、圧電基板１２をＳＡＷ素子片として励振させるための信号をインプット、若しくはアウトプットするための入出力電極１６に接続されている。
【００２２】
上述した金属パターンによって形成される前記ＩＤＴ１８は、その電極指が信号波の伝搬方向と直交する方向となるように配設される。また、前記反射器１８ａは、内部パターンが前記ＩＤＴ１８の電極指と平行になるようにして、前記ＩＤＴ１８の両端側に一対配設される。
【００２３】
また、前記圧電基板１２には、その四辺縁部にも金属パターン１４が形成されている。前記金属パターン１４は、前記圧電基板１２と前記蓋体２０，３０とを接着（接合）するための接着層であり、図示しない圧電基板１２の裏面にも同様に施されている。
【００２４】
前記金属パターン１４や入出力電極１６は、例えばクロム（Ｃｒ）被覆した上に金（Ａｕ）を被覆したもの（Ｃｒ／Ａｕ）や、金と錫（Ｓｎ）との合金（ＡｕＳｎ）等であれば良い。また、ＩＤＴ１８及び反射器１８ａは、アルミ（Ａｌ）等による金属パターンによって形成するようにすると良い。
【００２５】
上記Ｃｒ／ＡｕやＡｕＳｎ等によって形成される入出力電極１６とＡｌ等によって形成されるＩＤＴ１８との接続部分は、図２の楕円部分に示すように、入出力電極１６の上に、ＩＤＴ１８を形成する電極を重ねるような構成とすると良い。このような構成とすることによって、酸化され易いＡｌが直接入出力電極１６へ接合されることとなるため、接合部分に酸化膜を介在する虞が無い。
【００２６】
次に、図３を参照して蓋体２０，３０について説明する。図３（Ａ）は図１に示す上側の蓋体２０を、（Ｂ）は図１に示す下側の蓋体３０を、それぞれ示す図である。
図３に示すように、蓋体２０，３０は、図２に示す圧電基板１２と同一な形状とし、その四辺縁部には、接着層としての金属パターン２２，３２が施されている。なお、蓋体２０，３０に施される金属パターン２２，３２は、前記圧電基板１２に施される金属パターン１４と同一なものとすることが望ましい。また、図３（Ａ）に示す上側の蓋体２０には、圧電基板（ＳＡＷ素子片）１２における入出力電極１６と重なる位置に、貫通孔２４が設けられている。前記貫通孔２４は、ＳＡＷ素子片における入出力電極１６を外部へ導くためのものであり、当該貫通孔２４の内部及びその裏面側開口部周辺には、金属被膜２６が被覆されている。金属被膜２６に用いる金属としては、蓋体２０，３０の四辺縁部に施したものと同様なものとすれば良い。貫通孔２４の内面の濡れ性を向上させるためである。また、前記貫通孔２４は、ストレート構造のものとしても良いが、図１に示すようなテーパ構造のものとすることが望ましい。前記貫通孔２４には導通性を向上させ、ＳＡＷ素子１０として構成した際に外部端子としての役割を担う金属２８を充填する。このため、前記貫通孔２４をテーパ形状とすることで、前記貫通孔２４内部に金属２８を充填する際の効率を上げることができる。
【００２７】
前記圧電基板１２と、前記蓋体２０，３０とは、それぞれ熱膨張率が近似する部材（材料）で構成すると良い。圧電基板１２と蓋体２０，３０とは互いに、後述するように接合することでＳＡＷ素子１０を構成する。このため、ＳＡＷ素子１０の構成要素である圧電基板１２と蓋体２０，３０とを構成する材料の熱膨張率を近似させることによれば、リフロー等により熱が加えられたり、使用条件下において温度変化が激しい場合等であっても、圧電基板１２に余分な応力が生じる虞が少なくなる。また、接合部材同士の膨張率の違いによる接合部の剥離や、クラックが生じる虞も少なくなる。これらを考慮した場合、圧電基板１２と、蓋体２０，３０とを構成する材料は、同一素材とすることが望ましい。
【００２８】
前記圧電基板１２を構成する材料としては、一般に単結晶材料と薄膜を使用した材料とを挙げることができる。単結晶材料としては、水晶（ＳｉＯ２）、タンタル酸リチウム（ＬｉＴａＯ３）及びニオブ酸リチウム（ＬｉＮｂＯ３）等を挙げることができる。また、薄膜を使用した材料としては、ガラスやサファイアをベースとして酸化亜鉛（ＺｎＯ）薄膜を被覆したもの等を挙げることができる。
【００２９】
上記のような部材から選定される圧電基板１２に対し、蓋体２０，３０を構成する材料としては、熱膨張率が近似するものとして、シリコン、ガラス、セラミックス等を挙げることができる。しかしながら、望ましくは選定された圧電基板の材料と同一の材料によって構成されることが良い。
【００３０】
上記のような構成の圧電基板１２、及び蓋体２０，３０を前記金属層（金属パターン）１４，２２，３２によって接着（接合）することで、本実施形態のＳＡＷ素子１０を構成することができる。このため、本実施形態におけるＳＡＷ素子１０は、平板状の蓋体２０，３０と、平板状の圧電基板１２とによって構成されることとなる。よって、ＳＡＷ素子片が励振するためのキャビティは、接着層としての金属パターン１４，２２，３２の厚み分のみのスペースとなる。ここで、本願出願人は、試験を行うことによりＳＡＷ素子片は、励振するためのキャビティがわずかでもあれば励振可能であることを実証している。よって、上記のような金属パターンの厚み分のみによって形成されたキャビティであっても十分に励振可能であることが言える。なお、圧電基板１２と蓋体２０，３０との接着（接合）は、熱圧着等によれば良い。
【００３１】
従来では、蓋体２０，３０若しくは圧電基板１２の一部の厚みを削減することでキャビティを形成していたため、基礎となる部材の厚みが厚くなってしまい、構成されるＳＡＷ素子１０としては、薄型化を困難としていた。しかし、上記のような構成とすることにより、構成部材自体の厚さを低減させることが可能となる。このため、上記のような平板状で薄型化可能な構成部材によって構成されるＳＡＷ素子１０自体も薄型化することができ、従来に比べて小型・薄型なものを実現することが可能となる。
【００３２】
次に、本発明の弾性表面波素子に係る第２の実施形態について図４を参照して説明する。
本実施形態のＳＡＷ素子は、第１の実施形態のＳＡＷ素子と比べると、圧電基板の構成のみが異なる。具体的には、圧電基板１２に対して、ＩＤＴ１８並びに反射器１８ａ及びその入出力電極から成る電極部分が支持片Ａとして構成され、他の部分が枠部Ｂとして構成されるように貫通溝１９を設けた点が第１の実施形態のＳＡＷ素子と異なる。よって、機能を同一とする箇所には第１の実施形態と同一な符号を付してその詳細な説明を省略する。
【００３３】
前記貫通溝１９を圧電基板１２に設ける効果としては、外部からＳＡＷ素子１０に負荷される衝撃や応力といった外乱要素が、前記電極部分、すなわち励振部分に伝達されることを緩和するといったことを挙げることができる。
【００３４】
前記貫通溝１９の形状は例えば、前記電極部分を囲う矩形形状のうち、少なくとも三辺を繋いだコの字形状とすれば良い。また、前記電極部分のうち、前記入出力電極１６は前記枠部Ｂ側にかかるように、若しくは枠部Ｂ側に配設されるようにすると良い。前記入出力電極１６は、外部端子に直接接続される。このため、入出力電極には、外部からの衝撃等が直接伝達されてくる可能性がある。よって、入出力電極１６を枠部Ｂ側へ配設することにより、衝撃等が励振部分へ伝達されることを緩和することが可能となる。
【００３５】
図５には本実施形態に係るＳＡＷ素子１０の断面図を示す。図５からは、圧電基板１２に貫通溝１９を設けたことにより励振部分が片持ち状に支持されることとなっていることが読み取れる。
【００３６】
図４，図５からも読みとれるように、上記の貫通溝１９を設けたこと以外の構成は、第１の実施形態のＳＡＷ素子の構成と同様である。よって、その他の作用効果についても、第１の実施形態と同様とする。
【００３７】
また、前記貫通溝１９の形状は適宜選択可能な種々の形状を想定することができるため、上述のような形状に限られるものでは無い。例えば図６〜図８に示すような形状であっても良いと考えられる。
【００３８】
まず、図６に示す貫通溝１９の形状は、図４に示した貫通溝１９の形状に加え、支持片Ａと枠部Ｂとの境界（接合部）にくびれを形成する貫通溝１９ａを形成した形状である。このように、接合部分にくびれを形成することによれば、枠部Ｂと支持片Ａとの接合部分の断面積が小さくなるため、外部からの衝撃等が励振部分に伝達される割合を低下させることができる。
【００３９】
また、接合部分の断面積を小さくするための貫通溝１９の構造としては、図７に示すような形状であっても良い。図７に示す圧電基板１２は、矩形状のうちの入出力電極１６を配設する部分のみを接合部分として残す構成の貫通溝１９を形成したものである。すなわち、入出力電極１６の間に貫通溝１９ｂを形成したのである。このような形状の貫通溝１９であっても図４に示す圧電基板１２の貫通溝と同様な効果を得ることが可能である。
【００４０】
さらに、貫通溝の構成は、必ずしも支持片Ａを片持ちに保持する形状である必要は無い。例えば図８に示すような形状であっても良い。図８に示す形状は、電極部分を囲う矩形状の頂点部分を枠部との接合部分とし、残りの部分を貫通溝１９とした状態のものである。すなわち、ＳＡＷ素子片による励振は、圧電振動片の励振とは異なり圧電基板１２の表面を伝搬するものであるため、片持ち支持である必要性が無い。そして構造上、このような形状の貫通溝１９であっても、上述した外部応力等の影響を抑制する効果を得ることができると考えられる。
【００４１】
以下、上記構成のＳＡＷ素子１０の製造方法について簡単に説明する。
まず、圧電基板１２に対してＣｒ／Ａｕの成膜を行う。その後、金属パターン１４及び入出力電極１６の形成を行う。金属パターン１４及び入出力電極１６の形成が終了した後、ＩＤＴ１８及び反射器１８ａを形成するためのＡｌ膜を成膜し、ＩＤＴ１８及び反射器１８ａを形成する。このような工程を経て、上記圧電基板１２にパターンが形成される。なお、圧電基板１２には実施形態のように、必要に応じて貫通溝１９を形成する。貫通溝１９の形成は、例えばＣｒ／Ａｕの成膜の前段とすると良い。パターン形成前に貫通溝を設けるようにすることで、エッチングにより形成したパターンに悪影響を与える虞が無い。
【００４２】
上記圧電基板１２の形成と同時に、又は前後して、蓋体２０，３０を形成する。蓋体２０，３０については、まず蓋体２０に対し、金属２８を充填するための貫通孔２４を形成する。貫通孔２４の形成は、ショットブラスト加工等によれば良い。その後、蓋体２０，３０の双方に対して金属パターンを形成する。
【００４３】
上記のようにして形成された圧電基板１２と蓋体２０，３０とを熱圧着によって接着する。接着された後の蓋体２０の貫通孔２４に対してＣｒ／Ａｕ等の金属被膜２６を施す。金属被膜２６の被覆は、スパッタ等によれば良い。
その後、金属２８をロウ材として前記貫通孔２４へ流し込む。そして、ダイシングによってウェハを個片化することにより上記実施形態のＳＡＷ素子１０が形成される。
【００４４】
上記実施形態におけるＳＡＷ素子１０では薄型化を目的としているため、圧電基板１２を挟持する一対の蓋体２０，３０はいずれも平板状の形状として示した。しかしながら、前記蓋体２０，３０は少なくとも圧電基板１２に対向する側の面が平坦であれば本発明のＳＡＷ素子を製造し、本発明のＳＡＷ素子の励振空間を形成する方法を実施することとなる。したがって、ＳＡＷ素子の外側に配置される面に凹凸を設けたものであっても、本発明の実施形態の一部であるとみなすことができる。
【００４５】
また、実施形態中では、圧電基板１２と蓋体２０，３０との接着（接合）方法を具体的に熱圧着と挙げているが、これは好適な接着（接合）手段の一例であり、本発明を実施する際の接着（接合）方法を限定するものでは無い。
【００４６】
以下、図９を参照して、上記実施形態のＳＡＷ素子１０を搭載した電子機器の一例について説明する。なお、図９は、無線送信機の概略構成を示す図であり、図９（Ａ）はＡＳＫ（Amplityde Shift Keying）通信用送信機を示し、図９（Ｂ）はＦＳＫ（Frequency Shift Keying）通信用送信機を示す。
【００４７】
図９（Ａ）に示すＡＳＫ通信用送信機１００は、送信波を出力する発振手段１１０と、前記発振手段１１０からの出力信号を変調するための出力制御部１２０と、前記出力制御部１２０へ出力制御信号を入力するための出力制御信号入力端子１４０と、ＡＳＫされた信号を送信する（外部へ放出する）ためのアンテナ１３０とを備えることを基本構成とする。このような構成の送信機１００において、上記実施形態に係るＳＡＷ素子１０は、前記発振手段１１０として搭載されることとなる。
【００４８】
図９（Ｂ）に示すＦＳＫ通信用送信機２００では、出力信号の周波数の異なる２つの発振手段２１０ａ，２１０ｂと、出力信号を切り替えて変調を行うための出力制御部２２０と、前記出力制御部２２０へ出力信号を入力するための出力信号入力端子２４０と、ＦＳＫされた信号を送信する（外部へ放出する）ためのアンテナ２３０とを備えることを基本構成としている。ＦＳＫ通信では出力信号の切り替えによって送信波を生成するため、２種類の発振手段２１０ａ，２１０ｂを用いることとなる。このような構成の送信機２１０においても、上記施形態に係るＳＡＷ素子１０は、発振手段２１０ａ，２１０ｂとして搭載される。本実施形態に係るＳＡＷ素子１０は上述したように小型・薄型を図る上で優れているため、上記のような送信機１００，２００の発振源として搭載した場合には、送信機自体の小型化・薄型化を図ることができる。
【００４９】
上記実施形態に係るＳＡＷ素子１０を搭載する電子機器としては、上述した発信機からの送信波を受信する受信機等を挙げることができる。受信機の構成は図示しないが、例えば局部発信機として上記実施形態のＳＡＷ素子を用いることができる。なお当然に、本発明に係るＳＡＷ素子は、送受信機に限らず様々な電子機器へ搭載することができる。
【図面の簡単な説明】
【００５０】
【図１】本発明に係るＳＡＷ素子の第1の実施形態を示す断面図である。
【図２】本発明に係るＳＡＷ素子の第1の実施形態における圧電基板の平面を示す図である。
【図３】本発明に係るＳＡＷ素子の第１の実施形態における蓋体の平面を示す図である。
【図４】本発明に係るＳＡＷ素子の第２の実施形態における圧電基板の平面を示す図である。
【図５】本発明に係るＳＡＷ素子の第２の実施形態を示す断面図である。
【図６】第２の実施形態における圧電基板の応用形態の例を示す図である。
【図７】第２の実施形態における圧電基板の応用形態の例を示す図である。
【図８】第２の実施形態における圧電基板の応用形態の例を示す図である。
【図９】本発明のＳＡＷを搭載する電子機器の例を示すブロック図である。
【符号の説明】
【００５１】
１０………弾性表面波素子（ＳＡＷ素子）、１２………圧電基板、１４………金属パターン、１６………入出力電極、１８………櫛歯状電極（ＩＤＴ）、１８ａ………反射気（リフレクタ）、２０………蓋体、２２………金属パターン、２４………貫通孔、３０………蓋体、３２………金属パターン。
【図１】
2006180247.tif 000003
【図２】
2006180247.tif 000004
【図３】
2006180247.tif 000005
【図４】
2006180247.tif 000006
【図５】
2006180247.tif 000007
【図６】
2006180247.tif 000008
【図７】
2006180247.tif 000009
【図８】
2006180247.tif 000010
【図９】
2006180247.tif 000011